【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
可動性装置プラットフォームであって、
コンピューティング環境とインターフェースするために動作可能な独立したコンピューティング機能を有する可動性装置、及び
前記可動性装置にデータを提供するために前記可動性装置と協働する可動性装置サーバを含むことを特徴とする可動性装置プラットフォーム。
【請求項２】
前記可動性装置と前記可動性装置サーバの間でデータを伝達するために動作する通信ネットワークを更に含むことを特徴とする、請求項１に記載の可動性装置プラットフォーム。
【請求項３】
データを互いに伝達するときに前記可動性装置及び前記可動性装置サーバによって使用するための暗号化プロトコルを更に含むことを特徴とする、請求項１に記載の可動性装置プラットフォーム。
【請求項４】
前記可動性装置及び前記可動性装置サーバによって使用されるデータ記憶装置アーキテクチャに前記暗号化プロトコルが適用されることを特徴とする、請求項３に記載の可動性装置プラットフォーム。
【請求項５】
データの伝達を可能にするために前記可動性装置及び可動性装置サーバが互いに認証及び検証することを可能にする認証及び検証モジュールを更に含むことを特徴とする、請求項３に記載の可動性装置プラットフォーム。
【請求項６】
前記認証及び検証モジュールが、ユーザ識別情報、ユーザ・パスワード情報、公開キー情報、及び秘密キー情報の何れかを含むデータで動作することを特徴とする、請求項５に記載の可動性装置プラットフォーム。
【請求項７】
前記可動性装置を前記コンピューティング環境に接続するために動作する通信インターフェースを更に含むことを特徴とする、請求項１に記載の可動性装置プラットフォーム。
【請求項８】
前記通信インターフェースが、前記可動性装置に埋め込まれることを特徴とする、請求項７に記載の可動性装置プラットフォーム。
【請求項９】
前記通信インターフェースが、ユニバーサル・シリアル・バス（ＵＳＢ）、IEEE 1394 通信インターフェース（FireWire）、802.XX 通信インターフェース、Bluetooth 通信インターフェース、パーソナル・コンピュータ・インターフェース、小型コンピュータ・シリアル・インターフェース、及び無線アプリケーション・プロトコル（ＷＡＰ）通信インターフェースの何れかを含むことを特徴とする、請求項７に記載の可動性装置プラットフォーム。
【請求項１０】
前記コンピューティング環境が、スタンドアロン・コンピューティング環境、ネットワーク化されたコンピューティング環境、及び組み込みコンピューティング環境の何れかを含むことを特徴とする、請求項９に記載の可動性装置プラットフォーム。
【請求項１１】
前記コンピューティング環境が、自動車組み込みコンピューティング環境であることを特徴とする、請求項１０に記載の可動性装置プラットフォーム。
【請求項１２】
前記コンピューティング環境が、組み込みコンピューティング環境を有する市販の電子装置であることを特徴とする、請求項１０に記載の可動性装置プラットフォーム。
【請求項１３】
前記コンピューティング環境が、組み込みコンピューティング環境を有するビル自動制御であることを特徴とする、請求項１０に記載の可動性装置プラットフォーム。
【請求項１４】
前記データが、１又は複数のコンピューティング・アプリケーション、及び制御情報と一緒に使用するためのデータを含むことを特徴とする、請求項１に記載の可動性装置プラットフォーム。
【請求項１５】
前記通信ネットワークが、有線ローカル・エリア・ネットワーク（ＬＡＮ）、無線ローカル・エリア・ネットワーク（ＬＡＮ）、有線ワイド・エリア・ネットワーク（ＷＡＮ）、無線ワイド・エリア・ネットワーク（ＷＡＮ）、有線ピア・トゥ・ピア通信ネットワーク、無線ピア・トゥ・ピア通信ネットワーク、符号分割多重アクセス（ＣＤＭＡ）通信ネットワーク、時分割多重アクセス（ＴＤＭＡ）通信ネットワーク、汎ヨーロッパディジタル移動通信システム（ＧＳＭ）通信ネットワーク、無線インターネット、及びインターネットの何れかを含むことを特徴とする、請求項１に記載の可動性装置プラットフォーム。
【請求項１６】
前記可動性装置が異なる可動性装置サーバと協働することを可能にするために動作する複数の作業領域を、前記可動性装置が維持することを特徴とする、請求項１に記載の可動性装置プラットフォーム。
【請求項１７】
前記可動性装置が、前記異なる可動性装置サーバと暗号化プロトコルを使用して協働することを特徴とする、請求項１６に記載の可動性装置プラットフォーム。
【請求項１８】
前記可動性装置が、複数の作業領域の各々に対し独立して暗号化された通信チャネルを利用することを特徴とする、請求項１７に記載の可動性装置プラットフォーム。
【請求項１９】
前記可動性装置が、固有の認証及び検証を複数の作業領域の各々に対してサポートすることを特徴とする、請求項１８に記載の可動性装置プラットフォーム。
【請求項２０】
前記可動性装置が、データ及びアプリケーションを制御、操作、及び管理するために参加ユーザから前記コンピューティング環境への命令を受信し処理するために動作するユーザ・インターフェースを表示する前記コンピューティング環境と協働することを特徴とする、請求項１に記載の可動性装置プラットフォーム。
【請求項２１】
可動性装置管理サーバが他の可動性装置管理サーバと協働して、ウェブ・サービスを前記可動性装置に提供することを特徴とする、請求項２０に記載の可動性装置プラットフォーム。
【請求項２２】
前記可動性装置管理サーバがサード・パーティ・ウェブ・サービス・プロバイダと協働して、ウェブ・サービスを前記可動性装置に提供することを特徴とする、請求項２１に記載の可動性装置プラットフォーム。
【請求項２３】
前記可動性装置が、処理ユニット、可動性装置通信インターフェース・ユニット、ＲＯＭ記憶装置、ＲＡＭ記憶装置、及びオペレーティングシステムの何れかを含むことを特徴とする、請求項１に記載の可動性装置プラットフォーム。
【請求項２４】
コンピューティング環境においてデータの安全な伝達を可能にする方法であって、
コンピューティング環境とインターフェースするために動作可能な独立したコンピューティング機能を有する可動性装置を提供し、及び
前記可動性装置にデータを提供するために前記可動性装置と協働する可動性装置サーバを提供する諸ステップを含むことを特徴とする方法。
【請求項２５】
前記可動性装置と前記コンピューティング環境の間に通信リンクを確立するステップを更に含むことを特徴とする、請求項２４に記載の方法。
【請求項２６】
前記可動性装置と前記可動性装置管理サーバの間に通信リンクを確立するステップを更に含むことを特徴とする、請求項２５に記載の方法。
【請求項２７】
前記可動性装置を前記可動性装置管理サーバにおいて認証し、前記可動性装置の権利及び特権を決定するステップを更に含むことを特徴とする、請求項２６に記載の方法。
【請求項２８】
前記可動性装置から前記可動性装置管理サーバへのウェブ・サービスに対する要求を受信するステップを更に含むことを特徴とする、請求項２７に記載の方法。
【請求項２９】
前記可動性装置から前記可動性装置管理サーバへのウェブ・サービスに対する要求を、シンプル・オブジェクト・アクセス・プロトコル（ＳＯＡＰ）を使用して受信するステップを更に含むことを特徴とする、請求項２８に記載の方法。
【請求項３０】
要求されたウェブ・サービスを、前記可動性装置管理サーバにおいて、可動性装置認証情報を使用して検索するステップを更に含むことを特徴とする、請求項２８に記載の方法。
【請求項３１】
前記検索されたウェブ・サービスを、可動性装置に固有なウェブ・サービス形式に変換するステップを更に含むことを特徴とする、請求項３０に記載の方法。
【請求項３２】
前記検索されたウェブ・サービスを、可動性装置認証情報を使用して暗号化するステップを更に含むことを特徴とする、請求項３０に記載の方法。
【請求項３３】
前記可動性装置管理サーバから前記可動性装置へ前記検索された暗号化ウェブ・サービスを伝達するステップを更に含むことを特徴とする、請求項３２に記載の方法。
【請求項３４】
動作中のコンピューティング環境での表示及び制御のために、前記可動性装置において前記伝達された暗号化ウェブ・サービスを処理するステップを更に含むことを特徴とする、請求項３３に記載の方法。
【請求項３５】
以下の方法を実行するコンピュータに指示するためのコンピュータ読み取り可能な命令を有するコンピュータ読み取り可能な媒体であって、前記方法が、
コンピューティング環境とインターフェースするために動作可能な独立したコンピューティング機能を有する可動性装置を提供し、及び
前記可動性装置にデータを提供するために前記可動性装置と協働する可動性装置サーバを提供する諸ステップを含むことを特徴とする媒体。
【請求項３６】
コンピューティング環境の間でウェブ・サービスを安全に伝達するシステムであって、
協働するコンピューティング環境とインターフェースし、独立したコンピューティング機能を有する第１手段、及び
ウェブ・サービスを前記第１手段へ安全に提供するための第２手段を含むことを特徴とするシステム。
【請求項３７】
前記第１手段と前記第２手段をリンクさせるために動作する第３手段を更に含むことを特徴とする、請求項３６に記載のシステム。
【請求項３８】
前記第２手段からウェブ・サービスにアクセスするために前記第１手段の権利及び特権を認証し検証するための第４手段を更に含むことを特徴とする、請求項３７に記載のシステム。
【請求項３９】
認証のための前記第４手段と協働する、ウェブ・サービスを暗号化するための第５手段を更に含むことを特徴とする、請求項３８に記載のシステム。
【請求項４０】
ウェブ・サービスが、ユーザ管理ウェブ・サービス、コンピューティング・アプリケーション、及びデータの何れかを含むことを特徴とする、請求項３９に記載のシステム。
【請求項４１】
安全なウェブ・サービスを遠く離れて得るための方法であって、
ウェブ・サービスを前記協働するコンピューティング環境で動作させることができる１又は複数のコンピューティング・アプリケーションを実行させるために前記可動性装置が動作できるように、協働するコンピューティング環境を用いて可動性装置を構成し、
少なくとも１つの協働する可動性装置管理サーバと通信を確立し、
前記可動性装置管理サーバ上のウェブ・サービスにアクセスするために、前記可動性装置の権利、アクセス、及び特権を決定する前記可動性装置を前記可動性装置管理サーバにおいて認証し、
前記可動性装置管理サーバにおいて、前記可動性装置からのウェブ・サービスに対する要求を受信し、
前記可動性装置認証情報を使用してウェブ・サービスに対する要求を処理し、
前記可動性装置によってウェブ・サービス要求を満たすためにウェブ・サービスを検索し、
選択された暗号化プロトコルによって前記ウェブ・サービスを暗号化し、及び
前記協働するコンピューティング環境での実行のために前記可動性装置へ要求中の可動性サービスを伝達する諸ステップを含むことを特徴とする方法。
【請求項４２】
ユーザ識別情報及びユーザ・パスワード情報を使用して、前記協働するコンピューティング環境で前記可動性装置を認証するステップを更に含むことを特徴とする、請求項４１に記載の方法。
【請求項４３】
前記協働するコンピューティング環境を用いて前記可動性装置を構成するときに、前記可動性装置で見られる少なくとも１つのアプリケーション又はルーチンの自動実行を実行するステップを更に含むことを特徴とする、請求項４１に記載の方法。
【請求項４４】
要求されたウェブ・サービスを検索するために、サード・パーティ・ウェブ・サービス・プロバイダと協働するステップを更に含むことを特徴とする、請求項４１に記載の方法。
【請求項４５】
従来のアプリケーション及びデータを得るために、Ｊａｖａ（登録商標）仮想マシンと協働するステップを更に含むことを特徴とする、請求項４１に記載の方法。
【請求項４６】
以下の方法を実行するコンピュータに指示するためのコンピュータ読み取
り可能な命令を有するコンピュータ読み取り可能な媒体であって、前記方法が、
ウェブ・サービスを前記協働するコンピューティング環境で動作させることができる１又は複数のコンピューティング・アプリケーションを実行させるために前記可動性装置が動作できるように、協働するコンピューティング環境を用いて可動性装置を構成し、
少なくとも１つの協働する可動性装置管理サーバと通信を確立し、
前記可動性装置管理サーバ上のウェブ・サービスにアクセスするために、前記可動性装置の権利、アクセス、及び特権を決定する前記可動性装置を前記可動性装置管理サーバにおいて認証し、
前記可動性装置管理サーバにおいて、前記可動性装置からのウェブ・サービスに対する要求を受信し、
前記可動性装置認証情報を使用してウェブ・サービスに対する要求を処理し、
前記可動性装置によってウェブ・サービス要求を満たすためにウェブ・サービスを検索し、
選択された暗号化プロトコルによって前記ウェブ・サービスを暗号化し、及び
前記協働するコンピューティング環境での実行のために前記可動性装置へ要求中の可動性サービスを伝達する諸ステップを含むことを特徴とする媒体。